(57)【要約】      （修正有）【課題】みかんなどの果樹の防除作業を、薬剤を吸ったり、浴びることなどが無く、一人で安全に作業が行える防除用薬剤散布装置を提供する。【解決手段】軽四輪トラック１００の荷台部に、移動部２３０を設置し、移動部上に、薬液を貯留する薬液タンク２５０と動力噴霧機と動力噴霧機用駆動エンジンで構成される動力部２６０と噴口部２１０と旋回部２２０と伸縮部２４０で構成され、薬液タンクから動力部により、薬液を噴口部の高圧スプレーホースを経由し噴口に送り、噴口の角度をアクチェーターシリンダーの伸縮によって調整し、噴口部の下に連結された旋回部によって水平方向に回転させ、噴口を旋回部の下に連結された伸縮部によって上下に動かす薬液噴霧装置を設置し、動力噴霧機用駆動エンジンと旋回モーターと伸縮部のギヤドモーターを集中的に操作できる操作部３００を軽四輪トラックの運転席に設けて、薬液噴霧装置の伸縮、旋回、上下、散水、止水の操作を行う。【選択図】図１
0003220640.tif 000002
【実用新案登録請求の範囲】
【請求項１】
軽四輪トラック（１００）の荷台部に、移動部（２３０）を設置し、核移動部上に、薬液を貯留する薬液タンク（２５０）と動力噴霧機と動力噴霧機用駆動エンジンで構成される動力部（２６０）と噴霧部（２１０）と旋回部（２２０）と伸縮部（２４０）で構成され、前記薬液タンクから前記動力部により、薬液を前記噴口部の高圧スプレ−ホ−ス（２１３）を経由し噴口（２１１）に送り、核噴口の角度をアクチェ−タ−シリンダ−（２１２）の伸縮によって調整し、核噴口部の下に連結された前記旋回部によって水平方向に回転させ、核噴口を前記旋回部の下に連結された前記伸縮部によって上下に動かす薬液霧装置を設置し、前記動力噴霧機用駆動エンジンと旋回モ−タ−（２２３）と前記伸縮部のギャ−ドモ−タ−（２４５）を集中的に操作できる操作部（３００）を前記軽四輪トラックの運転席に設けて、薬液噴霧装置の伸縮、旋回、上下、散水、止水の操作を行うことを特徴とした防除用薬剤散布装置。
【請求項２】
操作部（３００）に設けた、噴口の角度スイッチ（３０４）により噴口（２１１）の角度を、伸縮、旋回用ジョイスティック（３０５）により噴口部（２１０）の伸縮と旋回を、散水、止水スイッチ（３０３）により散水、止水の操作を行うことが可能な、請求項１記載の防除用薬剤噴霧装置。
【請求項３】
薬液タンク（２５０）と動力部（２６０）と噴口部（２１０）と旋回部（２２０）と伸縮部（２４０）から構成される薬液噴霧装置が、伸縮角パイプ（２４９）と軽四輪トラック（１００）のアングルポスト（１１０）にボルト２本で個定されていることを特徴とする、薬液噴霧装置が脱装着可能な請求項１及び２記載の防除用薬剤散布装置。
【請求項４】
薬液タンク（２５０）は、薬液量を表示するゲ−ジ（４００）を備え、噴口部（２１０）の噴口の位置及び薬液タンク（２５０）の中の薬液量が軽四輪トラック（１００）の運転席から確認可能なバックミラ−部（５００）を設置した、請求項１，２及び３の記載の防除用薬剤噴霧装置。
【考案の詳細な説明】
【技術分野】
【０００１】  本考案は、収穫物や肥料、農作業具などの運搬に使用する軽四輪トラック荷台部に薬液噴霧装置が設置され、薬液噴霧装置の操作を運転席から行うことが可能で、薬液噴霧装置部分が簡便に脱装着可能な防除機に関する。
【背景技術】
【０００２】  従来みかん等の果樹栽培において、農薬等の薬剤散布を効率的に行う為  例えば、軽四輪トラックなどの荷台部に農薬散布装置を設置し、薬剤散布を行う際には  一人が運転し  もう一人が荷台上で防除作業を行っていた。又  特開平８―１０７７４７号公報には、遠隔操作により噴射ノズルを所望の向きに制御することにより、操作者を有害な薬剤にさらすことなく、きめ細やかに且十分な薬剤散布を行うことのできる薬剤散布装置及びこれを搭載した自走車が開示されている。特開平８−１７３００１号公報には、薬液を噴霧する方向や高さを様々に変化させながら、薬剤散布装置がシンプルで安全性があって  効率よく防除作業が出来るよう有効に操作可能とする防除用薬剤散布装置が開示されている。又  実開平７−３０６７９号公報には  運搬車の荷台上に設置することができて、シンプルな構造で操作性及び作業性も良く、有効に薬液散布を可能とする防除用薬液散布機が開示されている。
【先行技術文献】
【特許文献】
【０００３】
【特許文献１】特開平８−１０７７４７号  公報
【特許文献２】特開平８−１７３００１号  公報
【特許文献３】実開平７−３０６７９号  公報
【考案の概要】
【考案が解決しようとする課題】
【０００４】  運搬車や軽四輪トラックの荷台に薬液等の散布装置を設置し、作業を行う場合は、作業者が有害な薬剤を浴び、健康上の問題がある。又、薬剤散布を遠隔操作するあるいは運転席において行う自走式の装置は、防除専用機であり、高価であるという欠点を有している。
【課題を解決するための手段】
【０００５】  本考案は  軽四輪トラック（１００）の荷台に、移動部（２３０）を設置し、移動部上に  薬液タンク（２５０）と動力部（２６０）と噴口部（２１０）と旋回部（２２０）と伸縮部（２４０）から構成される薬液噴霧装置を設置し、軽四輪の運転席からスイッチ（３００）で、薬液噴霧装置の伸縮、旋回、上下、散水、止水の操作を行うことを特徴とした防除機であり、果樹栽培農家が運搬用等に使用している軽四輪トラックを利用し、軽四輪トラックの荷台に搭載した薬液散布装置の噴口の方向、角度、高さや薬液散布の開始と停止等の操作を、軽四輪トラックの運転席から行うことで、問題点を解決している。
【考案の効果】
【０００６】  上述のように  本考案の防除機は  軽四輪トラックの運転者が薬液散布装置を操作するため、運転者一人で防除作業を行うことが可能となり  人員削減、労力軽減、時間短縮の効果があり、尚且つ、有害な薬液を吸わないし、浴びないという安全性を備えている。又  果樹栽培農家が運搬用等に保有している軽四輪トラックを利用することにより、安価な防除機を提供することが可能となる。
【図面の簡単な説明】
【０００７】
【図１】本考案の全体図である。（Ａ）は防除機全体の側面図であり、（Ｂ）は、タンク部（２５０）、動力部の動力噴霧機と動力噴霧機用駆動エンジンである。
【図２】噴口部を示す側面図である。
【図３】旋回部を示す側面図である。
【図４】運転席に設置された操作部である。
【図５】伸縮駆動部を示す側面図である。
【図６】伸縮台形捻子部である。
【図７】薬液タンク（２５０）と動力部（２６０）と噴口部（２１０）と旋回部（２２０）と伸縮部（２４０）から構成される薬液噴霧装置の軽四輪トラック荷台への積み下ろしを容易にするための移動部である。
【図８】軽四輪トラックのアングルポスト背面図である。
【図９】薬液タンクに設置されたゲ−ジの状態模式図とゲ−ジの詳細図である。
【考案を実施するための形態】
【０００８】  軽四輪トラックの荷台の移動部上に搭載した薬液噴霧装置と、核薬液噴霧装置の動力噴霧機用駆動エンジンと旋回モ−タ−と伸縮部のギャドモ−タ−を集中的に操作できる軽四輪トラックの運転席に設置された操作部で構成される、軽四輪トラック脱着搭載型防除機である。作業者は、本防除機を果樹園の目的の場所に移動させ、荷台部上で、噴口部を折り畳んで収納していたユニバ−サルジョイントを解除し、操作可能な状態にした後、動力噴霧機用駆動エンジンを駆動し、動力噴霧機が運転可能な状態にする。作業者は運転席に移動し、運転席に設置した操作部のメインスイッチをＯＮにする。操作部の噴口の上下の角度をスイッチで操作し、噴口部の噴口の角度を調整する。次に、散水、止水スイッチを散水にし、設置したバックミラ−で噴口の位置を確認する。運転席より動力噴霧ポンプの駆動用エンジンのスロットルレバ−で動力噴霧ポンプの回転を調整して、防除作業を開始する。
【実施例】
【０００９】  以下  添付図面に従って実施例を説明する。【００１０】  図１（Ａ）は軽四輪トラックの荷台に  搭載した薬液噴霧装置と、運転席からの操作部と  これらを接続するのに運転席後部に穴をあけ取付け、防水型ケ−ブルキャプコンを取付て配線している。  図１（Ｂ）  は薬液用タンクと動力噴霧ポンプと動力エンジンである。【００１１】  図２  は薬液噴口部である。（２１１）はステンレス７口噴口で薬液噴霧角度を多角噴霧できる。（２１２）は噴口上下のアクチェ−タ−シリンダ−で  薬液噴霧角度を  上６０°から下６０°までの１２０°の調整で高い所から低い所まで噴霧できる。（２１３）は噴霧用高圧スプレ−ホ−スで高圧で、柔軟性のあるスプレ−ホ−スである。【００１２】  図３は  噴口旋回部である。（２２１）は噴口の旋回で右回り１７５°、左回り１７５°の旋回が可能である。左右旋回エンドにはリミットスイッチで旋回停止できる。（２２２）は防除作業前後の現場往復時に噴口部が木や建物にぶつからないように折り畳み収納できるユニバ−サルジョイントである。（２２３）は旋回モ−タ−と旋回用ステンレスギャ−のＢＯＸである。（２２４）は旋回モータ−用ステンレスギャ−と軸側ステンレスギャ−である。（２２５）は旋回ギャ−ドモ−タ−である。（２２６）は噴口軸支え用ステンレス菱形フランジユニットである。（２２７）は噴口軸旋回用ステンレススラストベアリングである。【００１３】  図４は  運転席設置の操作部（３００）である。（３０１）は操作パネル電源ランプである。（３０２）はメインスイッチである。（３０３）は薬液散水及び止水スイッチである。（３０４）は噴口部伸縮スイッチである。（３０５）は四方向ジョイステックで上下に倒すと  噴口の角度の調整であり、  左右に倒すことで右旋回と左旋回を行う。（３０６）はステンレスまたはＦＲＰ操作パネルである。【００１４】  図７は、薬液タンク（２５０）と動力部（２６０）の本体搭載型積み下ろし用アルミロ−ラ−である。
【符号の説明】
【００１５】  １００  軽四輪トラック  １１０  アングルポスト  ２１０  噴口  ２１１  噴口（ノズル）  ２１２  アクチェ−タ−シリンダ−  ２１３  高圧スプレ−ホ−ス  ２２０  旋回部  ２２１  噴口支柱  ２２２  噴口支柱折り畳み用ユニバ−サルジョイント  ２２３  旋回ＢＯＸ  ２２４  ギャ−ドモ−タ−用ギャ−と軸用ギャ−  ２２５  ギャ−ドモ−タ−  ２２６  ステンレスベアリングユニット  ２２７  ステンレススラストベアリング  ２３０  脱着搭載型防除機  積み下ろし用アルミロ−ラ−  ２４０  伸縮部  ２４１  台形捻子  ２４２  伸縮スライド用アルミパイプ  ２４３  ステンレス角パイプ  ２４４−１  台形捻子ガイド  ２４４−２  伸縮スライドアルミパイプ用ガイド  ２４５  ギャ−ドモ−タ−  ２４６−１  ギャ−ドモ−タ−用ギャ−  ２４６−２  台形捻子用ギャ−  ２４６−３  ステンレススラストベアリング  ２４７  ギャ−ＢＯＸ  ２４８−１  ステンレスフランジユニット  ２４８−２  ステンレスフランジユニット  ２４９  本体脱着治具  ２５０  タンク部（薬液用）  ２６０  動力部（動力噴霧機と駆動エンジン）  ３００  操作部  ３０１  １２Ｖ電源  入・切  確認ランプ  ３０２  メインスイッチ  ３０３  散水・止水スイッチ  ３０４  噴口上下の角度スイッチ  ３０５  伸縮・旋回用ジョイステック  ３０６  操作パネ  ４００  浮力式ゲ−ジ  ５００  バックミラ−（取外し式）
【図１】
0003220640.tif 000003
【図２】
0003220640.tif 000004
【図３】
0003220640.tif 000005
【図４】
0003220640.tif 000006
【図５】
0003220640.tif 000007
【図６】
0003220640.tif 000008
【図７】
0003220640.tif 000009
【図８】
0003220640.tif 000010
【図９】
0003220640.tif 000011
【手続補正書】
【提出日】平成31年1月8日(2019.1.8)
【手続補正１】
【補正対象書類名】実用新案登録請求の範囲
【補正対象項目名】全文
【補正方法】変更
【補正の内容】
【実用新案登録請求の範囲】
【請求項１】
軽四輪トラック（１００）の荷台部に、移動部（２３０）を設置し、該移動部上に、薬液を貯留する薬液タンク（２５０）と動力噴霧機と動力噴霧機用駆動エンジンで構成される動力部（２６０）と噴口部（２１０）と旋回部（２２０）と伸縮部（２４０）で構成され、前記薬液タンクから前記動力部により、薬液を前記噴口部の高圧スプレーホース（２１３）を経由し噴口（２１１）に送り、該噴口の角度をアクチェーターシリンダー（２１２）の伸縮によって調整し、該噴口部の下に連結された前記旋回部によって水平方向に回転させ、該噴口を前記旋回部の下に連結された前記伸縮部によって上下に動かす薬液噴霧装置を設置し、前記動力噴霧機用駆動エンジンと旋回モーター（２２３）と前記伸縮部のギヤドモーター（２４５）を集中的に操作できる操作部（３００）を前記軽四輪トラックの運転席に設けて、薬液噴霧装置の伸縮、旋回、上下、散水、止水の操作を行うことを特徴とした防除用薬剤散布装置。
【請求項２】
操作部（３００）に設けた、噴口の角度スイッチ（３０４）により噴口（２１１）の角度を、伸縮、旋回用ジョイスティック（３０５）により噴口部（２１０）の伸縮と旋回を、散水・止水スイッチ（３０３）により散水、止水の操作を行うことが可能な、請求項１記載の防除用薬剤散布装置。
【請求項３】
薬液タンク（２５０）と動力部（２６０）と噴口部（２１０）と旋回部（２２０）と伸縮部（２４０）から構成される薬液噴霧装置が、伸縮角パイプ（２４９）と軽四輪トラック（１００）のアングルポスト（１１０）にボルト２本で固定されていることを特徴とする、薬液噴霧装置が脱装着可能な請求項１又は２に記載の防除用薬剤散布装置。
【請求項４】
薬液タンク（２５０）は、薬液量を表示するゲージ（４００）を備え、噴口部（２１０）の噴口の位置及び薬液タンク（２５０）中の薬液量が、軽四輪トラック（１００）の運転席から確認可能なバックミラー部（５００）を設置した、請求項１、２又は３に記載の防除用薬剤散布装置。